(57)【要約】【課題】既存の収容箱に対する印刷レイアウトを殆ど変更することなく実施でき、しかも収納箱が開封されたか否かを確実に確認可能な収納箱を安価に提供する。【解決手段】上面を開放した箱本体２と、箱本体２の後側板に連設されて箱本体２の上面開口部を開閉する蓋体４とを備え、蓋体４の遊端部に、後側板に対面する前側板３Ｆの内面に沿って箱本体２内に差し込み可能な差し込み部５を形成し、前側板３Ｆにおけるの高さ方向の途中部に開封用開口部２０を形成し、前側板３Ｆにおける開封用開口部２０の上側に連設部２１と切取部２２とを上下に形成し、蓋体４を閉蓋位置に保持する不透明な粘着テープを切取部２２及び連設部２１と蓋体４とにわたって貼着し、粘着テープの貼着位置における蓋体４の表面と連設部２１の表面に開封済みを表示する第１開封表示部２３Ａ、２３Ｂを形成した。【選択図】図１
2007230574.tif 000002
【特許請求の範囲】
【請求項１】
上面を開放した箱本体と、箱本体の第１側板に連設されて箱本体の上面開口部を開閉する蓋体とを備え、
前記蓋体の遊端部に、第１側板に対面する第２側板の内面に沿って箱本体内に差し込み可能な差し込み部を形成し、
前記第２側板におけるの高さ方向の途中部に開封用開口部を形成し、
前記第２側板における開封用開口部の上側に連設部と切取部とを上下に形成し、
前記蓋体を閉蓋位置に保持する不透明な粘着テープを切取部及び連設部と蓋体とにわたって貼着し、
前記粘着テープの貼着位置における蓋体の表面と連設部の少なくとも一方に、開封済みを表示する第１開封表示部を形成した、
ことを特徴とする開封確認可能な収納箱。
【請求項２】
前記切取部に対面する差し込み部の表面に、開封済みを表示する第２開封表示部を形成した請求項１記載の開封確認可能な収納箱。
【請求項３】
前記開封用開口部に対面する差し込み部の表面に、開封開始位置を案内する開封案内表示部を形成した請求項１又は２記載の開封確認可能な収納箱。
【請求項４】
前記開封用開口部を第２側板の長さ方向の略中央部に形成した請求項１〜３のいずれか１項記載の開封確認可能な収納箱。
【請求項５】
前記第１開封表示部を紙類で構成し、第１開封表示部にその表層部の剥離を部分的に促進するハーフカットを形成した請求項１〜４のいずれか１項記載の開封確認可能な収納箱。
【請求項６】
前記第１開封表示部に開封を示す印刷を施した請求項１〜４のいずれか１項記載の開封確認可能な収納箱。
【請求項７】
前記蓋体と連設部の双方に第１開封表示部を設け、蓋体と連設部の第１開封表示部の一方に開封を示す印刷を施し、他方を紙類で構成してその表面に、表層部の剥離を部分的に促進するハーフカットを形成した請求項１〜４のいずれか１項記載の開封確認可能な収納箱。
【請求項８】
前記第１開封表示部のうちの印刷を施した部分に、粘着テープの剥離を促進する薬剤を塗着した請求項６又は７記載の開封確認可能な収納箱。
【発明の詳細な説明】
【技術分野】
【０００１】
本発明は、開封確認可能な収納箱に関する。
【背景技術】
【０００２】
食品や医薬品等を収納する紙製の収納箱として、内容物の抜き取りや入れ替えを防止するとともに、万一、内容物の抜き取りや入れ替えがなされた場合でも、それを容易に発見できるようにするため、収納箱に対して開封確認機能を備えさせたものが種々提案されている。
【０００３】
例えば、特許文献１記載の紙箱のように、底板と４つの側板とを有する箱本体と、後側板に連設されて箱本体の開口部を覆う蓋体とを有し、蓋体の先端部に前側板の内面に沿って差し込み可能な差し込み部を設け、差し込み部に、差し込み部の他の部分よりも差し込み長さの長いガイド部を形成し、ガイド部とは異なる位置に対応する蓋体の位置に、孔部を形成可能な指掛部と、蓋体の組立状態において、指掛部と前側板とを連結する封緘手段を形成し、指掛部を切り取って蓋体に孔部を形成し、該孔部を通じて、一方の側部翼板に印刷した開封済み表示部を目視できるように構成したものが提案されている。
【０００４】
また、開封を確認するための別の構成を有する容器として、容易本体に内容物を収容後、被せ蓋を施蓋し、容器本体と被せ蓋との間を接着テープによって封印する容器において、容器本体と被せ蓋の少なくとも接着テープが接着される部分を、紙類で構成し、その表面に、接着テープを剥離した際にその紙類の表面の一部を接着テープに付着させるハーフカットを形成したものが提案されている（例えば、特許文献２参照。）。
【０００５】
【特許文献１】特開２００５−２９８０４９号公報
【特許文献２】特開２００３−７２８２７号公報
【発明の開示】
【発明が解決しようとする課題】
【０００６】
特許文献１記載の紙箱では、一方の側部翼板に印刷した開封済み表示部を、孔部を通じて目視できるように構成している関係上、蓋体における指掛部の形成位置は、閉蓋状態において側部翼板に対面する位置に限定される。しかし、通常の紙箱は、蓋体の左右方向の中央部に封緘テープを貼り付けるなどして閉蓋され、蓋体に対してなされる商品名等の各種印刷が、封緘テープにより隠されないように、各種印刷がレイアウトされている関係上、特許文献1記載のように、指掛部を側部翼板に対面する位置に形成すると、蓋体に対する印刷レイアウトを大幅に変更する必要があるという問題がある。また、側部翼板は内容物で支持されている関係上、内容物によっては包装状態において側部翼板が傾斜することもあり、開封済みの表示部が孔部から離間して、表示内容が見辛くなるという問題もある。
【０００７】
特許文献２記載の容器では、接着テープとして通常の接着テープを採用しつつ、開封されているか否かを明確に区別可能な表示を実現できる。しかし、接着テープを剥離し易くするために、接着テープの端部を折り返しているので、接着テープの貼着装置の構成が複雑になるという別の問題がある。
【０００８】
本発明の目的は、既存の収容箱に対する印刷レイアウトを殆ど変更することなく実施でき、しかも収納箱が開封されたか否かを確実に確認可能な収納箱を安価に提供することである。
【課題を解決するための手段】
【０００９】
本発明に係る開封確認可能な収納箱は、上面を開放した箱本体と、箱本体の第１側板に連設されて箱本体の上面開口部を開閉する蓋体とを備え、前記蓋体の遊端部に、第１側板に対面する第２側板の内面に沿って箱本体内に差し込み可能な差し込み部を形成し、前記第２側板におけるの高さ方向の途中部に開封用開口部を形成し、前記第２側板における開封用開口部の上側に連設部と切取部とを上下に形成し、前記蓋体を閉蓋位置に保持する不透明な粘着テープを切取部及び連設部と蓋体とにわたって貼着し、前記粘着テープの貼着位置における蓋体の表面と連設部の少なくとも一方に、開封済みを表示する第１開封表示部を形成したものである。
【００１０】
ここで、前記切取部に対面する差し込み部の表面に、開封済みを表示する第２開封表示部を形成すること、前記開封用開口部に対面する差し込み部の表面に、開封開始位置を案内する開封案内表示部を形成すること、前記開封用開口部を第２側板の長さ方向の略中央部に形成すること、などが好ましい実施の形態である。
【００１１】
また、第１開封表示部の構成としては、前記第１開封表示部を紙類で構成し、第１開封表示部にその表層部の剥離を部分的に促進するハーフカットを形成すること、前記第１開封表示部に開封を示す印刷を施すこと、前記蓋体と連設部の双方に第１開封表示部を設け、蓋体と連設部の第１開封表示部の一方に開封を示す印刷を施し、他方を紙類で構成してその表面に、表層部の剥離を部分的に促進するハーフカットを形成すること、前記第１開封表示部のうちの印刷を施した部分に、粘着テープの剥離を促進する薬剤を塗着すること、などが好ましい実施の形態である。
【発明の効果】
【００１２】
本発明に係る収納箱によれば、開封用開口部に指を挿入し、切取部を粘着テープの一端部とともに摘まんで、第２側板から切り離し、粘着テープを連設部及び蓋部から剥離して開封するので、粘着テープに折り返し部を形成したりすることなく、粘着テープを収納箱から容易に引き剥がすことができる。また、粘着テープを引き剥がすときに切取部を第２側板から切り離すことになるので、切取部の有無により収納箱の開封を確認することができるとともに、収容箱から粘着テープを引き剥がすと、第１開封表示部が外部に露出するので、第1開封表示部によっても収納箱の開封を確認することができる。特に、第２側板と蓋体の両方に第1開封表示部を形成すると、第1開封表示部の表示内容を収容箱の前側からでも、上側からでも確認できるので好ましい。
【００１３】
また、この収容箱では、第２側板に封止用開口部と連設部と切取部を形成しているので、切取部に対面する差し込み部の表面に開封済みを表示する第２開封表示部を形成すると、開封のため切取部を切り取ることによって形成される開口から第２開封表示部が外部に露出し、第２開封表示部により、収納箱の前側から収納箱の開封済みを確認できる。また、封止用開口部に対面する差し込み部の表面に開封開始位置を案内する開封案内表示部を形成することで、開封開始位置を利用者に案内することができる。しかも、第２開封表示部や開封案内表示部を差し込み部に印刷等により形成する場合であっても、差し込み部は、通常収容箱の左右方向の全長に亙って設けられるので、封止用開口部と連設部と切取部とを第２側板の長さ方向（左右方向）の任意の位置に形成することができ、既存の収納箱に施されている印刷レイアウトを殆ど変更することなく、第２開封表示部や開封確認表示部を設けることができる。また、収納箱の差し込み部は、通常、第２側板の内面に密着配置されるので、第２開封表示部や開封案内表示部の表示内容が見辛くなることもない。
【発明を実施するための最良の形態】
【００１４】
以下、本発明の実施の形態について図面を参照しながら説明する。尚、本実施の形態では、図１に示す組立姿勢における収納箱を基準に、前後左右を定義して説明する。
【００１５】
図１、図２に示すように、収納箱１は、上面を開放した箱本体２と、箱本体２の後側板（これが第１側板に相当する。）３Ｂ（図３参照）に連設されて箱本体２の上面開口部を開閉する蓋体４とを備え、蓋体４の遊端部に、後側板３Ｂに対面する前側板（これが第２側板に相当する。）３Ｆの内面に沿って箱本体２内に差し込み可能な差し込み部５を形成し、前側板３Ｆにおけるの高さ方向の途中部に開封用開口部２０を形成し、前側板３Ｆにおける開封用開口部２０の上側に連設部２１と切取部２２とを上下に形成し、蓋体４を閉蓋位置に保持する不透明な粘着テープ３０を切取部２２及び連設部２１と蓋体４とにわたって貼着し、粘着テープ３０の貼着位置における蓋体４の表面と連設部２１の表面に開封済みを表示する第１開封表示部２３Ａ、２３Ｂを形成し、切取部２２に対面する差し込み部５の表面に、開封済みを表示する第２開封表示部２４を形成し、開封用開口部２０に対面する差し込み部５の表面に、開封開始位置を案内する開封案内表示部２５を形成したものである。
【００１６】
収納箱１を構成する素材としては、厚紙を採用することができる。特に、後述のようにハーフカットを第１開封表示部２３Ａ又は第１開封表示部２３Ｂに形成する場合には、厚紙として繊維長の短い再生紙を用いることが、第１開封表示部２３Ａ又は第１開封表示部２３Ｂにおける表層部の紙の剥離を促進する上で好ましい。但し、第１開封表示部２３Ａ、２３Ｂにハーフカットを形成しない場合には、収納箱１を構成する素材として、厚紙以外に、厚紙に合成樹脂フィルムをラミネートした積層シートや厚手の合成樹脂フィルム等を採用することができる。
【００１７】
収納箱１の基本構成について、図１〜図４を参照しながら説明する。
図３は、ブランキング状態での素材シートを示すもので、収納箱１の前側板３Ｆには左側板３Ｌ及び右側板３Ｒとが折目線Ｌ１、Ｌ２を挟んで連設され、右側板３Ｒには後側板３Ｂが折目線Ｌ３を挟んで連設され、左側板３Ｌには折目線Ｌ４を挟んで糊代部８が連設されている。そして、４つの側板３Ｆ、３Ｂ、３Ｌ、３Ｒは、裏面側を内側にして折目線に沿って平面視方形状に折り曲げて、糊代部８を左側板３Ｌに糊付けることで、図１、図２に示すように、平面視方形状に組み立てられている。
【００１８】
左右の側板３Ｌ、３Ｒの上端には折目線Ｌ５、Ｌ６を挟んで左右の側部翼板６、７が回動自在に連設され、後側板３Ｂの上端には折目線Ｌ７を挟んで蓋体４が回動自在に連設されている。蓋体４の遊端部には閉蓋時に収納箱１内に挿入する差し込み部５が折目線Ｌ８を挟んで形成され、収納箱１を組み立てた状態で、左右の側部翼板６、７を内側へ倒し、蓋体４を前側へ倒して、差し込み部５を前側板３Ｆの内側に沿って挿入することで、蓋体４を閉蓋できるように構成されている。
【００１９】
左側板３Ｌの下端には折目線Ｌ９を挟んで台形状の左底板９Ｌが回動自在に連設され、右側板３Ｒの下端には折目線Ｌ１０を挟んで台形状の右底板９Ｒが回動自在に連設され、前側板３Ｆの下端には折目線Ｌ１１を挟んで前底板９Ｆが回動自在に連設され、後側板３Ｂの下端には折目線Ｌ１２を挟んで後底板９Ｂが回動自在に連設されている。尚、折目線Ｌ１〜Ｌ１２は、それに沿って素材シートを折り曲げ易くするために形成したもので、細長い条溝を素材シートに型付けしたり、素材シートをハーフカットしたりするなど、周知の方法により形成されている。
【００２０】
前底板９Ｆにはその左前端部から折目線Ｌ１１に対して約４５°の傾斜角度で斜め後方へ延びる折曲案内線１０が形成され、後底板９Ｂにはその右後端部から折目線Ｌ１２に対して約４５°の傾斜角度で斜め前方へ延びる折曲案内線１１が形成されている。尚、折曲案内線１０、１１は、細長い条溝を素材シートに型付けしたり、素材シートをハーフカットしたりするとともに、その途中部にミシン目或いは切り込みを一定間隔おきに形成したもので、折目線Ｌ１〜Ｌ１２よりも容易に折曲できるように構成されている。
【００２１】
前底板９Ｆの折曲案内線１０よりも左後側には左底板９Ｌの下側に重ね合わされる重合部１２が形成され、この重合部１２を左底板９Ｌに糊付けることで、前底板９Ｆと左底板９Ｌとは貼着されている。後底板９Ｂの折曲案内線１１よりも右前側には右底板９Ｒの下側に重ね合わされる重合部１４が形成され、この重合部１４を右底板９Ｒに糊付けることで、右底板９Ｒと後底板９Ｂとは貼着されている。前底板９Ｆの右部は重合部１４の上側に配置され、後底板９Ｂの左部は重合部１２の上側に配置され、折曲案内線１０、１１に沿って前底板９Ｆ及び後底板９Ｂを上側へ折り曲げるとともに、それに連動させて底板９Ｆ、９Ｂ、９Ｌ、９Ｒをそれぞれ折目線Ｌ１１、Ｌ１２、Ｌ９、Ｌ１０に沿って折り曲げながら、収納箱１の左前端部と右後端部を相互に離間させて、収納箱１を略平板状に折り畳めるように構成されている。尚、前底板９Ｆと後底板９Ｂには嵌合部１７、１８が形成され、収納箱１を組立姿勢とした状態で嵌合部１７、１８が相互に嵌合することで、底板９Ｆ、９Ｂ、９Ｌ、９Ｒの上方への回動が規制され、収納箱１に収納した内容物を容易には取り出せないように構成されている。
【００２２】
尚、収納箱１の底板構造は、本実施の形態のように、折畳姿勢と組立姿勢とにワンタッチで姿勢切換可能なもの以外に、４つの底板を相互に嵌合させて組み立てるように構成したものや、４乃至２つの底板を接着剤やテープやステイプラー等により一体的に結合して組み立てるように構成したものなど、任意の構成のものを採用することができる。
【００２３】
本発明は、前述のような基本構成の収納箱１において、前側板３Ｆにおけるの高さ方向の途中部に開封用開口部２０を形成し、前側板３Ｆにおける開封用開口部２０の上側に連設部２１と切取部２２とを上下に形成し、蓋体４を閉蓋位置に保持する不透明な粘着テープ３０を切取部２２及び連設部２１と蓋体４とにわたって貼着し、粘着テープ３０の貼着位置における蓋体４の表面と連設部２１に開封済みを表示する第１開封表示部２３Ａ、２３Ｂを形成し、切取部２２に対面する差し込み部５の表面に、開封済みを表示する第２開封表示部２４を形成し、開封用開口部２０に対面する差し込み部５の表面に、開封開始位置を案内する開封案内表示部２５を形成したものである。
【００２４】
粘着テープ３０は、不透明であれば任意の構成のものを採用できる。具体的には、合成樹脂からなるテープ基材に顔料を含浸させて不透明に構成したものや、テープ基材に不透明な金属箔などを積層して不透明に構成したものや、不透明な紙製テープで構成することができる。
【００２５】
開封用開口部２０の形成位置は、前側板３Ｆの左右方向の任意の位置に形成することが可能であるが、左右方向の略中央部に形成すると、既存の印刷レイアウトで収納箱１の外面に印刷を施すことができ、印刷レイアウトを変更する必要がないので好ましい。開封用開口部２０の高さ位置は、切取部２２及び第２表示部の高さを十分に確保できる高さ位置に形成することになる。また、開封用開口部２０の左右方向及び上下方向の長さは、開封用開口部２０内に指を挿入できる長さに設定されている。この開封用開口部２０は、素材シートをブランキング処理するときに同時に形成することができる。
【００２６】
開封案内表示部２５には、利用者に対して開封開始位置及び開封方向を把握できるようにするための文字や記号、絵柄や図形などの識別情報が印刷され、例えば識別情報として「開封口」という文字が印刷されて、開封用開口部２０を通して識別情報を目視できるように構成されている。識別情報としては、開封開始位置や開封方向を示すものであれば、任意の文字や記号、絵柄や図形、あるいはこれらを任意に組み合わせたものを印刷することができる。
【００２７】
切取部２２は、開封用開口部２０の上縁に沿ってその全長に亙って設けられている。連設部２１との境界部には切り込みによる切込線２６が形成され、左右両端部にはミシン目２７が形成され、開封用開口部２０から指を挿入して切取部２２を摘まむことで、前側板３Ｆから容易に切り離すことができるように構成されている。切取部２２の高さは任意に設定可能であるが、指で容易に摘まむことができる高さに設定されている。
【００２８】
連設部２１は、切込線２６を挟んで切取部２２の上側に設けられ、その両端部は切り込みやミシン目やハーフカットなどを設けないで前側板３Ｆに連設され、開封用開口部２０の上側における前側板３Ｆの上縁部の強度が十分に確保されるように構成されている。
【００２９】
第１開封表示部２３Ａには、収納箱１を構成する厚紙を格子状にハーフカットすることによって、正方形状の複数の識別部２８が形成されている。これら複数の識別部２８は、粘着テープ３０を引き剥がすときに、その一部又は全部の識別部２８における厚紙の表層部が粘着テープ３０とともに剥離することで、第１開封表示部２３Ａを目視することにより、収納箱１が開封されているか否かを識別できるように構成したものである。特に、一部の識別部２８を剥離させて、表層部が剥離された部分と表層部が残存した部分とを形成し、例えば識別部２８により斑模様が形成されるように構成すると、開封されたか否かを確認しやすくなるので好ましい。また、このように一部の識別部２８だけを剥離させるための方法としては、粘着テープ３０を識別部２８に貼着するときに、特定の識別部２８に対する粘着テープ３０の圧接力を強くして、該特定の識別部２８の剥離を促進したり、特定の識別部２８に、予め粘着テープ３０の剥離を促進する薬剤を印刷により塗着し、特定の識別部２８以外の識別部２８における剥離を相対的に促進したりする方法などを採用できる。また、商品名などの必要な印刷部分が剥離しないように、第１開封表示部２３Ａの外縁に沿ってハーフカットを形成したり、第１開封表示部２３の外縁部に沿って、粘着テープ３０の剥離を促進する薬剤を塗着したりすることも好ましい実施の形態である。更に、識別部２８は、背景色との色差の大きい色や危険を表す色、例えば赤色を印刷することが好ましい。
【００３０】
ハーフカットにより第１開封表示部２３Ａに形成する識別部２８の形状は正方形以外に、文字や記号、絵柄や図形などの任意の形状に形成することが可能で、例えば図（ａ）〜（ｊ）に示すような形状の識別部２８ａ〜２８ｊに形成することができる。特に、識別部２８の外縁を閉ループで構成すると、識別部２８の剥離が促進されるので好ましい。
【００３１】
第１開封表示部２３Ｂ及び第２開封表示部２４には、開封されたことを示す文字や記号、絵柄や図形などの識別情報が印刷されている。本実施の形態では、識別情報として「開封済」という文字が印刷されている。そして、第１開封表示部２３Ｂにおいては、粘着テープ３０を剥がしたときに識別情報が目視可能に表示され、第２開封表示部２４においては、粘着テープ３０を剥がすため、切取部２２を切り取ったときに識別情報が目視可能に表示されるように構成されている。識別情報としては、開封されたことを識別可能に示すものであれば、任意の文字や記号、絵柄や図形、あるいはこれらを任意に組み合わせたものを印刷することができる。また、第１開封表示部２３においては、印刷部分に対して粘着テープ３０の剥離を促進する薬剤を塗着し、識別情報が剥離しないように構成することが好ましい。
【００３２】
尚、符号２９は、蓋体４の前縁部を前側板３Ｆの板厚分だけ突出させて、粘着テープ３０が蓋体４と前側板３Ｆとにわたって隙間なく密着できるようにするための切り込みである。
【００３３】
この収納箱１においては、図５に示すように、収納箱１内に図示外の内容物を装填してから蓋体４を閉じ、不透明な粘着テープ３０を切取部２２及び連設部２１と蓋体４とにわたって貼着して収納箱１を封止し、図２に示すような状態で、収納箱１を店頭に陳列等することになる。このように収納箱１を封止した状態では、図２に示すように、開封用開口部２０を通して開封案内表示部２５の表示内容を前側から目視することができるが、第１開封表示部２３Ａ、２３Ｂ及び第２開封表示部２４は不透明な粘着テープ３０で覆われた状態となる。
【００３４】
収納箱１を開封する際には、図６に示すように、開封用開口部２０に指を挿入し、切取部２２を粘着テープ３０の一端部とともに摘まんで、第２側板から切り離し、粘着テープ３０を連設部２１及び蓋体４から剥離して開封し、蓋体４を開いて内容物を取り出すことになる。そして、このように収納箱１を開封した状態では、切取部２２が前側板３Ｆから切り離され、しかも第２開封表示部２４の識別情報としての「開封済」が外部に露出し、更に第１開封表示部２３Ａにおける複数の識別部２８のうちの一部又は全部の表層部が粘着テープ３０とともに剥離され、収納箱１が開封されていることを、目視にて収納箱１の前側から容易に且つ確実に確認することができる。また、第１開封表示部２３Ｂの識別情報としての「開封済」が外部に露出するので、上側から収納箱１を見た場合であっても、収納箱１が開封されていることを容易に且つ確実に確認することができる。このように、収納箱１の開封を確認できるので、内容物が入れ替えられたり抜き取られたりしていることを容易に発見することが可能となり、内容物の入れ替えや抜き取りによる不正行為を速やかに発見することが可能となる。
【００３５】
尚、本実施の形態では、第１開封表示部２３Ａにハーフカットにより識別部２８を形成し、第１開封表示部２３Ｂに識別情報を印刷したが、第１開封表示部２３Ａに識別情報を印刷し、第１開封表示部２３Ｂにハーフカットにより識別部２８を形成することもできる。また、図７に示すように、第１開封表示部２３Ａ、２３Ｂにハーフカットにより識別部２８を形成したり、第１開封表示部２３Ａ、２３Ｂに識別情報を印刷したりすることも可能である。更に、第１開封表示部２３Ａ、２３Ｂの一方にのみハーフカットにより識別部２８を形成したり、図８に示すように、第１開封表示部２３Ａ、２３Ｂの一方にのみ識別情報を印刷したりすることもできる。更にまた、第１開封表示部２３Ａ、２３Ｂにハーフカットにより識別部２８を形成する場合には、粘着テープ３０として透明テープを採用することも可能である。この場合には、粘着テープ３０を通して識別部２８が露出するので、識別部２８には、蓋体４及び前板部３Ｆの印刷内容に連続する印刷を施し、粘着テープ３０を剥ぎ取ることで、識別部２８の一部又は全部の表面部が剥離して、収納箱１の開封を確認できることなる。
【図面の簡単な説明】
【００３６】
【図１】収納箱の蓋体をやや開いた状態での斜視図
【図２】収納箱の封止状態での斜視図
【図３】同収納箱の素材シートの平面図
【図４】収納箱の底面図
【図５】収納箱は閉蓋状態での斜視図
【図６】収納箱から粘着テープを引き剥がすときの説明図
【図７】他の構成の収納箱の閉蓋状態での斜視図
【図８】他の構成の収納箱の閉蓋状態での斜視図
【図９】(ａ)〜（ｊ）はそれぞれ第１開封表示部の他の構成の説明図
【符号の説明】
【００３７】
１      収納箱          ２      箱本体
３Ｆ    前側板          ３Ｂ    後側板
３Ｌ    左側板          ３Ｒ    右側板
４      蓋体            ５      差し込み部
６      側部翼板        ７      側部翼板
８      糊代部          ９Ｆ    前底板
９Ｂ    後底板          ９Ｌ    左底板
９Ｒ    右底板          １０    折曲案内線
１１    折曲案内線      １２    重合部
１４    重合部
１７    嵌合部          １８    嵌合部
２０    開封用開口部    ２１    連設部
２２    切取部          ２３Ａ  第１開封表示部
２３Ｂ  第１開封表示部  ２４    第２開封表示部
２５    開封案内表示部  ２６    切込線
２７    ミシン目        ２８    識別部
２９    切り込み        ３０    粘着テープ
２８ａ−２８ｊ    識別部
Ｌ１−Ｌ１２      折目線
【図１】
2007230574.tif 000003
【図２】
2007230574.tif 000004
【図３】
2007230574.tif 000005
【図４】
2007230574.tif 000006
【図５】
2007230574.tif 000007
【図６】
2007230574.tif 000008
【図７】
2007230574.tif 000009
【図８】
2007230574.tif 000010
【図９】
2007230574.tif 000011